(57)【特許請求の範囲】
【請求項１】
表示部と、ファイルがフォルダに分類されて記憶されている記憶部とを備え、画像形成装置と通信可能な情報処理装置を、
前記画像形成装置の印刷方式に関連付けられているフォルダを初期フォルダとして決定する決定手段と、
利用者にフォルダを選択させるためのフォルダ選択手段と、
最初に前記初期フォルダに格納されているファイルを前記表示部に一覧表示させ、その後に前記フォルダ選択手段によって他のフォルダが選択されると当該他のフォルダに格納されているファイルの一覧表示に切り替える表示制御手段と、
前記表示部に一覧表示されているファイルの中から前記画像形成装置に印刷させるファイルを利用者に選択させるためのファイル選択手段として機能させるファイル選択プログラム。
【請求項２】
請求項１に記載のファイル選択プログラムであって、
前記記憶部には印刷方式とフォルダとを関連付けた関連付け情報が記憶されており、
前記決定手段は、前記画像形成装置からその画像形成装置に関する装置情報を取得し、その装置情報によって特定される前記画像形成装置の印刷方式に関連付けられているフォルダを前記関連付け情報から取得し、取得したフォルダを前記初期フォルダとして決定する、ファイル選択プログラム。
【請求項３】
請求項１に記載のファイル選択プログラムであって、
前記画像形成装置は当該画像形成装置の印刷方式に関連付けられているフォルダを表すフォルダ情報を記憶しており、
前記決定手段は、前記画像形成装置から前記フォルダ情報を取得し、取得したフォルダ情報が表すフォルダを前記初期フォルダとして決定する、ファイル選択プログラム。
【請求項４】
請求項１乃至請求項３のいずれか一項に記載のファイル選択プログラムであって、
前記表示制御手段は、前記初期フォルダに記憶されているファイルを前記画像形成装置の印刷方式に応じたソート条件で並べ替えて表示させる、ファイル選択プログラム。
【請求項５】
請求項１乃至請求項４のいずれか一項に記載のファイル選択プログラムであって、
前記情報処理装置は複数の前記画像形成装置と通信可能であり、
利用者に前記画像形成装置を選択させるための装置選択手段として前記情報処理装置を機能させ、
前記決定手段は、前記装置選択手段によって選択された前記画像形成装置の印刷方式に関連付けられているフォルダを初期フォルダとして決定する、ファイル選択プログラム。
【請求項６】
請求項５に記載のファイル選択プログラムであって、
前記画像形成装置を検索する検索手段として前記情報処理装置を機能させ、
前記装置選択手段は、前記検索手段によって検索された一以上の前記画像形成装置の中からファイルを印刷させる前記画像形成装置を選択させる、ファイル選択プログラム。
【請求項７】
請求項１乃至請求項６のいずれか一項に記載のファイル選択プログラムであって、
前記記憶部は過去にファイルを印刷させた前記画像形成装置の履歴を記憶するものであり、
前記決定手段は、前記記憶部に履歴が記憶されている場合は、前回ファイルを印刷させた前記画像形成装置の印刷方式に関連付けられているフォルダを初期フォルダとして決定する、ファイル選択プログラム。
【請求項８】
請求項１乃至請求項７のいずれか一項に記載のファイル選択プログラムであって、
前記画像形成装置からその画像形成装置の印刷可／不可状態を示すステータス情報を取得する取得手段と、
前記取得手段によって取得されたステータス情報に基づいて、前記画像形成装置が印刷可能な状態であるか否かを判断する判断手段として前記情報処理装置を機能させ、
前記決定手段は、前記判断手段によって印刷可能な状態であると判断された前記画像形成装置の印刷方式に関連付けられているフォルダを初期フォルダとして決定する、ファイル選択プログラム。
【請求項９】
画像形成装置と情報処理装置とを備える印刷システムであって、
前記情報処理装置は、
表示部と、
ファイルがフォルダに分類されて記憶される記憶部と、
前記画像形成装置と通信するための通信手段と、
前記画像形成装置の印刷方式に関連付けられているフォルダを初期フォルダとして決定する決定手段と、
利用者にフォルダを選択させるためのフォルダ選択手段と、
最初に前記初期フォルダに格納されているファイルを前記表示部に一覧表示させ、その後に前記フォルダ選択手段によって他のフォルダが選択されると当該他のフォルダに格納されているファイルの一覧表示に切り替える表示制御手段と、
前記表示部に一覧表示されているファイルの中からファイルを利用者に選択させるためのファイル選択手段と、
前記ファイル選択手段によって選択されたファイルを前記画像形成装置に印刷させる印刷制御手段とを有する、印刷システム。
【発明の詳細な説明】
【技術分野】
【０００１】
本発明は、ファイル選択プログラム、及び印刷システムに関する。
【背景技術】
【０００２】
従来、予め設定されているデフォルトフォルダから画像ファイルを読み込んでその画像ファイルのサムネイル画像を一覧表示し、使用者に印刷対象の画像ファイルのサムネイル画像を選択させる画像ファイル選択プログラムが知られている（例えば特許文献１参照）。
この画像ファイル選択プログラムでは、デフォルトフォルダのサムネイル画像を一覧表示した後に使用者によるフォルダの選択を受け付け、使用者がフォルダを選択すると、選択されたフォルダから画像ファイルを読み込んでサムネイル画像を一覧表示している。
【先行技術文献】
【特許文献】
【０００３】
【特許文献１】特開２００９−１０４５２７号公報
【発明の概要】
【発明が解決しようとする課題】
【０００４】
しかしながら、従来の画像ファイル選択プログラムによると、どのフォルダをデフォルトフォルダとして設定すべきかについて考慮されておらず、印刷対象の画像ファイルを効率よく選択できるようにする上で改良の余地があった。
本発明は上記問題点を解決するものであり、印刷対象のファイルを効率よく選択できるファイル選択プログラム、及び印刷システムを提供することを目的とする。
【課題を解決するための手段】
【０００５】
第１の発明は、ファイル選択プログラムであって、表示部と、ファイルがフォルダに分類されて記憶されている記憶部とを備え、画像形成装置と通信可能な情報処理装置を、前記画像形成装置が備える印刷機能に関連付けられているフォルダを初期フォルダとして決定する決定手段と、利用者にフォルダを選択させるためのフォルダ選択手段と、最初に前記初期フォルダに格納されているファイルを前記表示部に一覧表示させ、その後に前記フォルダ選択手段によって他のフォルダが選択されると当該他のフォルダに格納されているファイルの一覧表示に切り替える表示制御手段と、前記表示部に一覧表示されているファイルの中から前記画像形成装置に印刷させるファイルを利用者に選択させるためのファイル選択手段として機能させる。
【０００６】
多くの場合、画像形成装置が備える印刷機能とその画像形成装置に印刷させるファイルとには相関関係がある。従って、印刷機能毎にその印刷機能との相関が高いファイルが格納されているフォルダを関連付けておき、ファイルを印刷させようとしている画像形成装置が備える印刷機能に関連付けられているフォルダを初期フォルダとして決定するようにすると、最初に一覧表示されるファイルの中に利用者が印刷させようとしているファイルが含まれている確率が高くなるので、利用者は他のフォルダを選択しなくてよい確率が高くなる。
よってこの発明によると、印刷対象のファイルを効率よく選択できる。
【０００７】
第２の発明は、第１の発明のファイル選択プログラムであって、前記記憶部には印刷機能とフォルダとを関連付けた関連付け情報が記憶されており、前記決定手段は、前記画像形成装置からその画像形成装置に関する装置情報を取得し、その装置情報によって特定される前記画像形成装置の印刷機能に関連付けられているフォルダを前記関連付け情報から取得し、取得したフォルダを前記初期フォルダとして決定する。
この発明によると、画像形成装置が備える印刷機能に関連付けられているフォルダを初期フォルダとして決定できる。
【０００８】
第３の発明は、第１の発明のファイル選択プログラムであって、前記画像形成装置は当該画像形成装置が備える印刷機能に関連付けられているフォルダを表すフォルダ情報を記憶しており、前記決定手段は、前記画像形成装置から前記フォルダ情報を取得し、取得したフォルダ情報が表すフォルダを前記初期フォルダとして決定する。
この発明によると、画像形成装置が備える印刷機能に関連付けられているフォルダを初期フォルダとして決定できる。
【０００９】
第４の発明は、第１〜第３のいずれかの発明のファイル選択プログラムであって、前記表示制御手段は、前記初期フォルダに記憶されているファイルを前記画像形成装置が備える印刷機能に応じたソート条件で並べ替えて表示させる。
この発明によると、印刷機能に応じたソート条件でファイルを並べ替えて表示させることにより、ファイルをより効率よく選択できる。
【００１０】
第５の発明は、第１〜第４のいずれかの発明のファイル選択プログラムであって、前記情報処理装置は複数の前記画像形成装置と通信可能であり、利用者に前記画像形成装置を選択させるための装置選択手段として前記情報処理装置を機能させ、前記決定手段は、前記装置選択手段によって選択された前記画像形成装置が備える印刷機能に関連付けられているフォルダを初期フォルダとして決定する。
この発明によると、選択された画像形成装置が備える印刷機能に関連付けられているフォルダを初期フォルダとして決定するので、画像形成装置が複数ある場合にも適切に初期フォルダを決定できる。
【００１１】
第６の発明は、第５の発明のファイル選択プログラムであって、前記画像形成装置を検索する検索手段として前記情報処理装置を機能させ、前記装置選択手段は、前記検索手段によって検索された一以上の前記画像形成装置の中からファイルを印刷させる前記画像形成装置を選択させる。
この発明によると、通信可能な画像形成装置を検索するので、選択対象となる画像形成装置を絞り込むことができる。よって、利用者が画像形成装置を選択する手間を低減できる。
【００１２】
第７の発明は、第１〜第６のいずれかの発明のファイル選択プログラムであって、前記記憶部は過去にファイルを印刷させた前記画像形成装置の履歴を記録するものであり、前記決定手段は、前記記憶部に履歴が記録されている場合は、前回ファイルを印刷させた前記画像形成装置が備える印刷機能に関連付けられているフォルダを初期フォルダとして決定する。
利用者は前回使用した画像形成装置と同じ画像形成装置にファイルを印刷させる可能性が高い。この発明によると、履歴が記録されている場合には前回使用した画像形成装置が備える印刷機能に関連付けられているフォルダを初期フォルダとして決定するので、画像形成装置が複数ある場合にも適切に初期フォルダを決定できる。
【００１３】
第８の発明は、第１〜第７のいずれかの発明のファイル選択プログラムであって、前記画像形成装置からその画像形成装置の印刷可／不可状態を示すステータス情報を取得する取得手段と、前記取得手段によって取得されたステータス情報に基づいて、前記画像形成装置が印刷可能な状態であるか否かを判断する判断手段として前記情報処理装置を機能させ、前記決定手段は、前記判断手段によって印刷可能な状態であると判断された前記画像形成装置が備える印刷機能に関連付けられているフォルダを初期フォルダとして決定する。
この発明によると、実際にファイルを印刷させる画像形成装置に関連付けられているフォルダを初期フォルダとして決定できる。
【００１４】
第９の発明は、画像形成装置と情報処理装置とを備える印刷システムであって、前記情報処理装置は、表示部と、ファイルがフォルダに分類されて記憶される記憶部と、前記画像形成装置と通信するための通信手段と、前記画像形成装置が備える印刷機能に関連付けられているフォルダを初期フォルダとして決定する決定手段と、利用者にフォルダを選択させるためのフォルダ選択手段と、最初に前記初期フォルダに格納されているファイルを前記表示部に一覧表示させ、その後に前記フォルダ選択手段によって他のフォルダが選択されると当該他のフォルダに格納されているファイルの一覧表示に切り替える表示制御手段と、前記表示部に一覧表示されているファイルの中からファイルを利用者に選択させるためのファイル選択手段と、前記ファイル選択手段によって選択されたファイルを前記画像形成装置に印刷させる印刷制御手段とを有する。
この発明によると、印刷対象のファイルを効率よく選択できる。
【発明の効果】
【００１５】
本発明によれば、印刷対象のファイルを効率よく選択できる。
【図面の簡単な説明】
【００１６】
【図１】本発明の実施形態１に係る印刷システムの構成を示す模式図。
【図２】記憶部のフォルダ構成を示す模式図。
【図３】ファイル選択画面の模式図。
【図４】印刷機能と初期フィルダとを関連付けた関連付けテーブルの模式図。
【図５】ソート条件情報毎の並べ替え順序を説明するための模式図。
【図６】ファイルを選択するファイル選択処理のフローチャート。
【図７】ファイルを選択するファイル選択処理のフローチャート。
【図８】プリンタ選択画面を示す模式図。
【図９】本発明の実施形態２に係るファイル選択処理のフローチャート。
【図１０】ファイル選択処理のフローチャート。
【図１１】本発明の実施形態３に係るファイル選択処理のフローチャート。
【発明を実施するための形態】
【００１７】
＜実施形態１＞
本発明の実施形態１を図１ないし図８によって説明する。
（１）印刷システムの構成
図１は、本発明の実施形態１に係る印刷システム１０の構成を示す模式図である。印刷システム１０は、携帯情報端末１（情報処理装置の一例）、プリンタ２（画像形成装置の一例）、及びそれらを通信可能に接続するＬＡＮ（Local Area Network）などの通信ネットワーク３で構成されている。
【００１８】
図１ではプリンタ２を１台のみ示しているが、通信ネットワーク３には複数のプリンタ２を接続可能であり、それら複数のプリンタ２が備えている印刷機能は互いに同じであるとは限らない。
【００１９】
（１−１）携帯情報端末の電気的構成
携帯情報端末１は、ＣＰＵ１１、ＲＯＭ１２、ＲＡＭ１３、記憶部１４、表示部１５、操作部１６、無線ネットワークインタフェース１７（Ｉ／Ｆ）などを備えて構成されている。
ＣＰＵ１１（決定手段、フォルダ選択手段、表示制御手段、判断手段の一例）は、ＲＯＭ１２に記憶されている各種のプログラムを実行することにより携帯情報端末１の各部を制御する。ＲＯＭ１２はＣＰＵ１１が実行するための各種のプログラムやデータなどを記憶している。ＲＡＭ１３はＣＰＵ１１が各種の処理を実行するための主記憶装置として用いられる。
【００２０】
記憶部１４は、ハードディスクやフラッシュメモリなどの不揮発性の記憶媒体を用いて各種のプログラムやデータを記憶する外部記憶装置である。記憶部１４には、モバイルＯＳ、そのモバイルＯＳ上で実行されるファイル選択プログラム、関連付けテーブル、及びソート条件テーブルが記憶されている。また、記憶部１４には種々のファイルが所定のルールでフォルダに分類されて記憶されている。
【００２１】
表示部１５は、ＣＲＴや液晶ディスプレイなどの表示装置で構成されている。
操作部１６（ファイル選択手段、装置選択手段の一例）は、マウスやキーボードなどの入力装置で構成されている。
無線ネットワークインタフェース１７（検索手段の一例）は、図示しない無線ＬＡＮルータなどの機器を介して通信ネットワーク３に無線接続される。なお、携帯情報端末１は通信ネットワーク３に有線接続される構成であってもよい。
【００２２】
（１−２）プリンタの電気的構成
プリンタ２は、制御部２１、印刷部２２、ネットワークインタフェース２３（Ｉ／Ｆ）などを備えて構成されている。
制御部２１は、ＣＰＵ２４、ＲＯＭ２５、ＲＡＭ２６などで構成されている。ＣＰＵ２４はＲＯＭ２５に記憶されている各種のプログラムを実行することによりプリンタ２の各部を制御する。ＲＯＭ２５はＣＰＵ２４が実行するための各種のプログラムやデータなどを記憶している。ＲＡＭ２６はＣＰＵ２４が各種の処理を実行するための主記憶装置として用いられる。
【００２３】
印刷部２２は、インクジェット方式、レーザー方式などで紙などの被記録媒体に画像を形成する。
ネットワークインタフェース２３は、通信ネットワーク３を介して携帯情報端末１などの外部の機器と接続されている。
【００２４】
（２）携帯情報端末のフォルダ構成
図２は、記憶部１４のフォルダ構成を示す模式図である。本実施形態では記憶部１４に「Ｄｏｃｕｍｅｎｔｓ」フォルダ、「Ｍｏｖｉｅｓ」フォルダ、「Ｍｕｓｉｃ」フォルダ、及び「Ｐｉｃｔｕｒｅｓ」フォルダが作成されているものとする。
【００２５】
「Ｄｏｃｕｍｅｎｔｓ」フォルダは、主としてワードプロセッサやテキストエディトエディタなどで作成した文書ファイルが格納されるフォルダである。
「Ｍｏｖｉｅｓ」フォルダは、主として動画像ファイルが格納されるフォルダである。
【００２６】
「Ｍｕｓｉｃ」フォルダは、主として音楽が録音された音楽ファイルが格納されるフォルダである。
「Ｐｉｃｔｕｒｅｓ」フォルダは、主として静止画像ファイルが格納されるフォルダである。
【００２７】
（３）ファイルの選択
図３は、プリンタ２に印刷させるファイルを選択するためのファイル選択画面３１の模式図である。携帯情報端末１は、利用者が図示しないメニューで印刷を指示すると、ファイル選択プログラムを実行して表示部１５にファイル選択画面３１を表示する。
ファイル選択画面３１には、１つのフォルダに格納されているファイルのサムネイル画像３２が一覧表示される。ファイル選択画面３１が表示されると、最初に初期フォルダとして指定されているフォルダに格納されているファイルのサムネイル画像３２が一覧表示される。利用者は、操作部１６を操作してカーソル３３を目的のサムネイル画像３２に移動させ、操作部１６の所定のボタンを押すことにより、プリンタ２に印刷させるファイルを選択することができる。
なお、操作部１６がタッチパネルで構成されている場合、利用者は、表示されているサムネイル画像３２をタッチしてファイルを選択することができる。
【００２８】
なお、ここではサムネイル画像３２を一覧表示する場合を例に説明するが、例えばファイル名を一覧表示してもよいし、作成日時やファイルサイズなどの詳細情報をファイル名と供に一覧表示してもよい。
【００２９】
初期フォルダに格納されているファイルのサムネイル画像３２が一覧表示された後、利用者は操作部１６を操作することにより、他のフォルダに格納されているファイルのサムネイル画像３２の一覧表示に切り替えることができる。具体的には、利用者がカーソル３３を［Ｔｏｐ］ボタン３４に移動させて操作部１６の所定のボタンを押すと、上位フォルダが表示対象のフォルダとなり、上位フォルダの直下に作成されているフォルダが一覧表示される。利用者がフォルダを選択すると、選択したフォルダに格納されているファイルのサムネイル画像３２の一覧表示に切り替わる。
【００３０】
（４）プリンタの印刷機能と初期フォルダとの関係
図４は、プリンタ２の印刷機能と初期フィルダとを関連付けた関連付けテーブル（関連付け情報の一例）を示す模式図である。
本実施形態では、プリンタ２が備える印刷機能として、プリンタ２の種別を例に説明する。
プリンタ２の種別とは、プリンタ２の印刷方式を示すものであり、具体的にはインクジェット方式、レーザー方式（モノクロレーザー方式、及びカラーレーザー方式を含む）などである。プリンタ２の印刷方式を特定できない場合、プリンタ２の種別は「Ｕｎｋｎｏｗｎ」に分類される。
対応用紙サイズとは、プリンタ２が印刷可能な最大用紙サイズを示すものである。「Ｐｈｏｔｏまで」は最大用紙サイズがＰｈｏｔｏサイズまでであることを示しており、「その他」は最大用紙サイズがＰｈｏｔｏサイズよりも大きいことを示している。インクジェット方式の場合に対応用紙サイズを「Ｐｈｏｔｏまで」と「その他」とに分類しているのは、次の理由による。
【００３１】
例えば、デジタルスチルカメラで撮像した写真画像の印刷に特化したプリンタとして、フォトプリンタが知られている。最大用紙サイズがＰｈｏｔｏサイズまでのプリンタはフォトプリンタである可能性が高い。そして、フォトプリンタで印刷されるのはデジタルスチルカメラで撮像された写真画像である可能性が高い。本実施形態ではデジタルスチルカメラで撮像された写真画像の場合にはサムネイル画像を一覧表示するとき写真画像にカメラ情報が付加されているか否かで並べ替えて表示する。そこで、本実施形態では、利用者が印刷させようとしている写真画像がデジタルスチルカメラで撮像された写真画像であるか又はそれ以外の写真画像であるかを、プリンタの対応用紙サイズが「Ｐｈｏｔｏまで」であるか「その他」であるかによって判断する。そのために、対応用紙サイズを「Ｐｈｏｔｏまで」と「その他」とに分類している。
【００３２】
「Ａｎｙ」は対応用紙サイズに制限がないことを示している。プリンタ２の対応用紙サイズを特定できない場合、対応用紙サイズは「Ｕｎｋｎｏｗｎ」に分類される。
【００３３】
初期フォルダ情報（フォルダ情報の一例）は、その印刷機能に関連付けられている初期フォルダを示している。
例えば、プリンタ２の種別が「インクジェット」である場合は、「Ｐｉｃｔｕｒｅｓ」フォルダが初期フォルダとして関連付けられている。一般にインクジェット方式のプリンタはレーザー方式のプリンタに比べて写真画像の印刷に用いられることが多く、プリンタ２の種別が「インクジェット」である場合は、「Ｐｉｃｔｕｒｅｓ」フォルダに格納されているファイルが印刷される可能性が高いからである。つまり、「インクジェット」と写真画像とには高い相関関係があるからである。
【００３４】
また、例えば、プリンタ２の種別が「レーザー」である場合は、「Ｄｏｃｕｍｅｎｔｓ」フォルダが初期フォルダとして関連付けられている。一般にレーザー方式のプリンタ２はインクジェット方式のプリンタ２に比べて文書の印刷に用いられることが多く、プリンタ２の種別が「レーザー」である場合は、「Ｄｏｃｕｍｅｎｔｓ」フォルダに格納されているファイルが印刷される可能性が高いからである。つまり、「レーザー」と文書とには高い相関関係があるからである。
【００３５】
ソート条件情報は、初期フォルダに格納されているファイルのサムネイル画像３２をファイル選択画面３１に一覧表示する際のサムネイル画像３２の並べ替え順序を指定するものである。
【００３６】
図５は、ソート条件情報毎の具体的な並べ替え順序を対応付けたソート条件テーブルを示す模式図である。
ｓｃ１は、印刷機能が「インクジェット」であり、対応用紙サイズが「その他」である場合に適用されるソート条件である。ｓｃ１はデフォルトのソート条件であり、例えば作成日時順やファイルサイズ順、ファイル名順などである。
ｓｃ２は、印刷機能が「インクジェット」であり、対応用紙サイズが「Ｐｈｏｔｏまで」である場合に適用されるソート条件であり、カメラ情報があるファイルが先、カメラ情報がないファイルが後になるように並べ替えるソート条件である。
【００３７】
例えば、デジタルスチルカメラで撮像した写真画像を格納するファイルのファイル形式としてＥＸＩＦ形式が知られている。ＥＸＩＦ形式では被写体を撮像したときのカメラ情報（ホワイトバランス、シーンモードなど）をファイルに付加することができる。そして、フォトプリンタの中にはカメラ情報を画像処理に反映させる機能を有しているものもある。フォトプリンタにファイルを印刷させようとしている利用者は、カメラ情報が付加されているファイルを印刷させようとしている可能性が高いので、カメラ情報が付加されているファイルを先に表示させるようにすれば、プリンタ２に印刷させるファイルを利用者が効率よく選択できる可能性が高くなる。
【００３８】
ｓｃ３は、印刷機能が「レーザー」である場合に適用されるソート条件であり、印刷用紙サイズを指定するサイズ情報があるファイルが先、サイズ情報がないファイルが後になるように並べ替えるソート条件である。ファイルの中には印刷用紙サイズを指定することのできる形式のものもある。サイズ情報があるファイルを先に表示し、サイズ情報がないファイルを後に表示するようにすると、例えばサイズ情報があるファイルの中から印刷させるファイルを選択しようとしている利用者は、目的のファイルを効率よく選択できる。
【００３９】
サイズ情報があるファイルは、そのサイズ情報によって指定されている用紙サイズによって更に並べ替えられる。具体的には、プリンタ２の対応用紙サイズより小さい用紙サイズが指定されているファイルが先に表示され、対応用紙サイズより大きい用紙サイズが指定されているファイルが後になるように並べ替えられる。
【００４０】
そして、対応用紙サイズより小さい用紙サイズが指定されているファイルの間では、大きい用紙サイズが指定されているファイルから小さい用紙サイズが指定されているファイルの順で更に並べ替えられる。一方、対応用紙サイズより大きい用紙サイズが指定されているファイルについては、小さい用紙サイズが指定されているファイルから大きい用紙サイズが指定されているファイルの順で更に並べ替えられる。
【００４１】
（５）ファイル選択処理
次に、ファイル選択プログラムを実行するＣＰＵ１１によって実行されるファイル選択処理について説明する。
図６及び図７は、ファイル選択処理のフローチャートである。本処理は、利用者が図示しないメニューで印刷を指示すると開始される。
ここでは、携帯情報端末１はプリンタ２にファイルを印刷させる毎にそのプリンタ２の機種名、プリンタの種別、及び対応用紙サイズをプリンタの使用履歴として記憶部１４に記録しているものとして説明する。
【００４２】
Ｓ１０１では、ＣＰＵ１１はプリンタの使用履歴があるか否かを判断し、プリンタの使用履歴がある場合はＳ１０２に進み、使用履歴がない場合はＳ１０３に進む。
Ｓ１０２では、ＣＰＵ１１は前回ファイルを印刷させたプリンタ２を初期プリンタに設定する。
【００４３】
Ｓ１０３では、ＣＰＵ１１は通信ネットワーク３上のプリンタ２を検索する。具体的には例えば、ＣＰＵ１１は携帯情報端末１と同じサブネットに接続されている不特定多数の機器に問合せコマンドをブロードキャストする。サブネットに接続されているプリンタ２がこの問合せコマンドに応答して自身の情報、具体的には、プリンタ２のＩＰアドレス、プリンタ２の機種名、プリンタ２の種別（画像形成装置に関する装置情報の一例）、対応用紙サイズなどを携帯情報端末１に送信することによってプリンタ２が検索される。
【００４４】
なお、通信ネットワーク３上に存在する機器からその機器の情報を取得するための通信規格が従来から提案されており、本実施形態ではそのような規格を使用してプリンタ２を検索してもよい。
また、検索の仕方によってはこれらの情報を一度に取得できない場合もある。その場合には、例えば通信ネットワーク３上のプリンタ２のＩＰアドレスだけを先に取得し、その後に個別にプリンタ２と通信して他の情報を取得するようにしてもよい。
【００４５】
Ｓ１０４では、ＣＰＵ１１は１台以上のプリンタ２が検索されたか否かを判断し、検索された場合はＳ１０５に進み、検索されなかった場合はＳ１１２に進む。
Ｓ１０５では、ＣＰＵ１１は図８に示すプリンタ選択画面４０に検索結果（検索されたプリンタ２の機種名）を表示し、検索されたプリンタ２の中からファイルを印刷させるプリンタ２を利用者に選択させる。
【００４６】
図８は、プリンタ選択画面４０を示す模式図である。利用者は操作部１６を操作することにより、ファイルを印刷させるプリンタ２を選択する。印字に問題があるプリンタ２の場合には、機種名の前（機種名の左側）に、印字に問題があることを示すマークが表示される。
【００４７】
Ｓ１０６では、ＣＰＵ１１は一定時間以内にプリンタ２が選択されたか否かを判断し、選択された場合はＳ１０７に進み、選択されなかった場合は処理を終了する。
Ｓ１０７では、ＣＰＵ１１は利用者により選択されたプリンタ２を初期プリンタに設定する。
【００４８】
Ｓ１０８では、ＣＰＵ１１は関連付けテーブルから、初期プリンタとして設定したプリンタ２の種別、及び対応用紙サイズに関連付けられている初期フォルダ情報、及びソート条件情報を取得する。
Ｓ１０９では、ＣＰＵ１１はソート条件テーブルから、Ｓ１０８で取得したソート条件情報に対応するソート条件を取得する。
【００４９】
Ｓ１１０では、ＣＰＵ１１はＳ１０８で取得した初期フォルダ情報が示す初期フォルダに格納されているファイルのサムネイル画像３２を、取得したソート条件で並び替える。
Ｓ１１１では、ＣＰＵ１１は並び替えたサムネイル画像３２をファイル選択画面３１に一覧表示する。
ファイル選択画面３１に一覧表示されたサムネイル画像３２の中から利用者がいずれかのファイルを選択すると、ＣＰＵ１１は選択されたファイルをプリンタ２に印刷させる。
【００５０】
Ｓ１１２では、ＣＰＵ１１は関連付けテーブルから「Ｕｎｋｎｏｗｎ」に関連付けられている初期フォルダ情報、及びソート条件情報を取得する。
Ｓ１１３では、ＣＰＵ１１はソート条件テーブルから、Ｓ１１２で取得したソート条件情報に対応するソート条件を取得してＳ１１０に進む。
【００５１】
（６）実施形態の効果
以上説明した本発明の実施形態１に係るファイル選択プログラムによると、プリンタ２が備える印刷機能に関連付けられているフォルダを初期フォルダとして決定し、初期フォルダに格納されているファイルのサムネイル画像３２を最初に一覧表示する。多くの場合、プリンタ２が備える印刷機能とそのプリンタ２に印刷させるファイルとには相関関係がある。従って、印刷機能毎にその印刷機能との相関が高いファイルが格納されているフォルダを関連付けておき、ファイルを印刷させようとしているプリンタ２が備える印刷機能に関連付けられているフォルダを初期フォルダとして決定するようにすると、最初に一覧表示されるファイルの中に利用者が印刷させようとしているファイルが含まれている確率が高くなるので、利用者は他のフォルダを選択しなくてよい確率が高くなる。よってこのファイル選択プログラムによると、印刷対象のファイルを効率よく選択できる。
【００５２】
更に、このファイル選択プログラムによると、プリンタ２からそのプリンタ２の種別を取得し、その種別に関連付けられているフォルダを関連付けテーブルから取得することにより、プリンタ２が備える印刷機能に関連付けられているフォルダを初期フォルダとして決定できる。
【００５３】
更に、このファイル選択プログラムによると、初期フォルダに記憶されているファイルをプリンタ２が備える印刷機能に応じたソート条件で並べ替えて表示させるので、ファイルをより効率よく選択できる。
【００５４】
更に、このファイル選択プログラムによると、プリンタ２が複数ある場合に、利用者がプリンタ２を選択できるようにし、選択されたプリンタ２が備える印刷機能に関連付けられているフォルダを初期フォルダとして決定するので、プリンタ２が複数ある場合にも適切に初期フォルダを決定できる。
【００５５】
更に、このファイル選択プログラムによると、携帯情報端末１と通信可能なプリンタ２を検索するので、選択対象となるプリンタ２を絞り込むことができ、利用者がプリンタ２を選択する手間を低減できる。
【００５６】
更に、このファイル選択プログラムによると、プリンタの使用履歴が記録されている場合には前回使用したプリンタ２が備える印刷機能に関連付けられているフォルダを初期フォルダとして決定する。プリンタ２にファイルを印刷させる場合、利用者は前回使用したプリンタ２にファイルを印刷させる可能性が高い。前回使用したプリンタ２の印刷機能に関連付けられているフォルダを初期フォルダとして決定するようにすると、プリンタ２が複数ある場合にも適切に初期フォルダを決定できる。
【００５７】
＜実施形態２＞
次に、本発明の実施形態２を図９ないし図１０によって説明する。
実施形態２では、プリンタ２に初期フォルダ情報、及びソート条件情報が記憶されており、プリンタ２からそれらの情報を取得する。
【００５８】
図９及び図１０は、実施形態２に係るファイル選択処理のフローチャートである。ここでは実施形態１と実質的に同一の処理には同一の符号を付して説明を省略する。
Ｓ２０１では、ＣＰＵ１１はプリンタ２から初期フォルダ情報を取得可能か判断し、取得可能な場合はＳ２０２に進み、取得不能な場合はＳ１０８に進む。
【００５９】
Ｓ２０２では、ＣＰＵ１１はプリンタ２から初期フォルダ情報を取得する。
Ｓ２０３では、ＣＰＵ１１はプリンタ２からソート条件情報を取得可能か判断し、取得可能な場合はＳ２０４に進み、取得不能な場合はＳ１０９に進む。
Ｓ２０４では、ＣＰＵ１１はプリンタ２からソート条件情報を取得する。
【００６０】
以上説明した本発明の実施形態２に係るファイル選択プログラムによると、プリンタ２からフォルダ情報を取得し、取得したフォルダ情報が表すフォルダを初期フォルダとして決定するので、プリンタ２が備える印刷機能に関連付けられているフォルダを初期フォルダとして決定できる。
【００６１】
＜実施形態３＞
次に、本発明の実施形態３を図１１によって説明する。
実施形態３では、プリンタの使用履歴がある場合に、前回のプリンタ２から印字に問題ない状態であるか否かを示すステータス情報（印刷可／不可状態を示すステータス情報の一例）を取得し、印字に問題がある場合は通信ネットワーク３上のプリンタ２を検索する。
【００６２】
図１１は、実施形態３に係るファイル選択処理のフローチャートである。ここでは実施形態２と実質的に同一の処理には同一の符号を付して説明を省略する。
Ｓ３０１では、ＣＰＵ１１は前回のプリンタ２から印字に問題ない状態であるか否かを示すステータス情報を取得する。プリンタ２は、例えば用紙切れ、インクやトナー切れ、電源断、紙詰まりなどの理由によって印字に問題がある場合には印字に問題があること（印刷不可状態）を示すステータス情報を携帯情報端末１に返し、印字に問題がない場合には印字に問題がないこと（印刷可状態）を示すステータス情報を携帯情報端末１に返す。
【００６３】
Ｓ３０２では、ＣＰＵ１１は取得したステータス情報に基づいてプリンタ２が印字に問題ない状態であるか否かを判断し、印字に問題がないと判断した場合はＳ１０２に進み、印字に問題があると判断した場合はＳ１０３に進む。
【００６４】
以上説明した本発明の実施形態３に係るファイル選択プログラムによると、プリンタ２からそのプリンタ２の印刷可／不可状態を示すステータス情報を取得し、印刷可能な状態であると判断されたプリンタ２が備える印刷機能に関連付けられているフォルダを初期フォルダとして決定するので、実際にファイルを印刷させるプリンタ２に関連付けられているフォルダを初期フォルダとして決定できる。
【００６５】
＜他の実施形態＞
本発明は上記記述及び図面によって説明した実施形態に限定されるものではなく、例えば次のような実施形態も本発明の技術的範囲に含まれる。
【００６６】
（１）上記実施形態では「画像形成装置に関する装置情報」としてプリンタ２の種別を例に説明したが、装置情報は機種名であってもよい。具体的には例えば、機種毎に印刷機能が固定されているので、関連付けテーブルに機種名を関連付けておき、プリンタ２から取得した機種名によって印刷機能を特定してもよい。
【００６７】
（２）上記実施形態では通信ネットワーク３上のプリンタ２を検索し、検索された一以上のプリンタ２の中からファイルを印刷させるプリンタ２を選択する場合を例に説明したが、通信ネットワーク３上のプリンタ２の情報（プリンタ２のＩＰアドレス、プリンタ２の機種名、プリンタ２の種別、対応用紙サイズなど）を予め携帯情報端末１に記憶させておき、記憶されているプリンタ２の中から選択させてもよい。
【００６８】
（３）上記実施形態３ではプリンタの使用履歴がある場合のみプリンタ２からステータス情報を取得する場合を例に説明したが、プリンタの使用履歴がない場合についてもステータス情報を取得するようにしてもよい。つまり、通信ネットワーク３上で検索されたプリンタ２についても印刷可／不可状態を判断するようにしてもよい。
その場合、図８に示すプリンタ選択画面４０には印刷可能状態のプリンタ２の機種名のみを表示するようにしてもよいし、検索された全てのプリンタ２の機種名を表示し、そのうち印刷不可状態であるプリンタ２についてはその機種名の前に印刷不可であることを示すマークを表示するようにしてもよい。
【００６９】
（４）上記実施形態では情報処理装置として携帯情報端末１を例に説明したが、情報処理装置は携帯電話であってもよいし、パーソナルコンピュータであってもよい。
【符号の説明】
【００７０】
１・・・携帯情報端末
２・・・プリンタ
３・・・通信ネットワーク
１０・・・印刷システム
１１・・・ＣＰＵ
１４・・・記憶部
１５・・・表示部
１６・・・操作部
１７・・・無線ネットワークインタフェース
３１・・・ファイル選択画面
３２・・・サムネイル画像
４０・・・プリンタ選択画面
【図１】
0005526710.tif 000002
【図２】
0005526710.tif 000003
【図３】
0005526710.tif 000004
【図４】
0005526710.tif 000005
【図５】
0005526710.tif 000006
【図６】
0005526710.tif 000007
【図７】
0005526710.tif 000008
【図８】
0005526710.tif 000009
【図９】
0005526710.tif 000010
【図１０】
0005526710.tif 000011
【図１１】
0005526710.tif 000012